(57)【特許請求の範囲】
【請求項１】
少なくともスピーカとスピーカ音孔を有する第一筐体と、
第二筐体と、
前記第一筐体と前記第二筐体とを少なくとも２つの直交する方向の回転軸を中心に回転可能に連結するヒンジ部とを備え、
前記第一筐体に備える前記スピーカ音孔を内側として、前記第一筐体と前記第二筐体を重合する状態において、
前記第一筐体の前記スピーカ音孔を設けた表面を、前記第二筐体に対して傾斜するよう配設し、
前記第一筐体の前記スピーカ音孔と第二筐体の間に間隙を形成するよう構成した折り畳み式携帯端末装置。
【請求項２】
少なくともスピーカとスピーカ音孔を有する第一筐体と、
第二筐体と、
前記第一筐体と前記第二筐体を連結する連結部と、前記第一筐体と前記第二筐体を開閉方向に回転する第一回転軸と、前記第一回転軸と直交する第二回転軸とからなり、前記第一筐体と前記第二筐体を回転可能に連結するヒンジ部とを備え、
前記第一筐体と前記ヒンジ部の連結において、前記第一筐体の長手方向の側面からみた断面における厚さ方向の中心線 と、前記ヒンジ部の前記第一回転軸の中心をずらした位置で連結することにより、
前記第一筐体に備える前記スピーカ音孔を内側として、前記第一筐体と前記第二筐体を重合する状態において、前記第一筐体の前記スピーカ音孔と第二筐体の間に間隙を形成するよう構成した折り畳み式携帯端末装置。
【請求項３】
前記第一筐体の長手方向の側面からみた断面における厚さ方向の中心線よりスピーカ音孔を有する面に近い位置で、前記ヒンジ部の前記第一回転軸と前記第一筐体とを連結することにより、
前記第一筐体に備える前記スピーカ音孔を内側として、前記第一筐体と前記第二筐体を重合する状態の前記第一筐体の前記スピーカ音孔と第二筐体の間に形成する間隙は、
前記第一筐体に備える前記スピーカ音孔を外側として、前記第一筐体と前記第二筐体を重合する状態の前記第一筐体の前記スピーカ音孔と第二筐体の間に形成する間隙よりも、大きくなるよう構成した請求項２に記載の折り畳み式携帯端末装置。
【請求項４】
少なくともスピーカとスピーカ音孔を有する第一筐体と、
第二筐体と、
前記第一筐体と前記第二筐体を水平方向に回転自在に連結するヒンジ部とを備え、
前記第一筐体と前記第二筐体を重ね合わせる重合状態において、
前記第一筐体の前記スピーカ音孔および前記スピーカ音孔周辺に凹部を備え、
前記凹部は前記第一筐体を長手方向の側面から見た場合に開口するよう形成する折り畳み式携帯端末装置。
【請求項５】
少なくともスピーカとスピーカ音孔を有する第一筐体と、
第二筐体と、
前記第一筐体と前記第二筐体とを少なくとも２つの直交する方向の回転軸を中心に回転可能に連結するヒンジ部とを備え、
前記第一筐体の前記スピーカ音孔および前記スピーカ音孔周辺に凹部を備え、
前記凹部は前記第一筐体を長手方向の側面から見た場合に開口するよう形成する
折り畳み式携帯端末装置。
【請求項６】
前記第二筐体の前記第一筐体と対向する面に突起と、
前記第一筐体の前記スピーカ音孔を有する面の裏面において、前記突起に当接する位置に凹部とを備えた請求項１記載の折り畳み式携帯端末装置。
【発明の詳細な説明】
【技術分野】
【０００１】
本発明はスピーカを有する折り畳み式携帯端末装置に関し、特に、二つの筐体を重ねた状態でスピーカの音を明瞭に出力するようにした携帯端末装置に関するものである。
【背景技術】
【０００２】
従来の折り畳み式携帯端末装置では、内部の部品配置や筐体構造の工夫により、小型化、軽量化されたものが利用されている。折り畳み式携帯端末装置について、例えば折り畳み式携帯電話では、第一筐体に、表示部、受話部、アンテナなどが設けられ、第二筐体には、主たる操作機能を有する操作部、送話部などが設けられている。
【０００３】
図１２Ａと図１２Ｂに示すように、第一筐体８１の表示部８７の反対側の面には、受話部８６以外の、使用者に対して着信を知らせたり、警告音等を出力するためのスピーカ８８と、そのスピーカ音孔８９を備えることにより、筐体を閉じた状態でもスピーカ８８から出力される音が使用者にとって聴き取りやすいように構成した折り畳み式携帯端末装置が知られている。実際に、着信音は、折り畳み式携帯端末装置を使用していない状態、すなわち折り畳んだ状態において出力されることが多いため、この構成は有用である。
【０００４】
さらに、図１３Ａと図１３Ｂに示すように、スピーカ９８を第二筐体９２の操作部を有する面に設け、第一筐体９１を閉じたときに、スピーカ９８およびスピーカ音孔９９が露出するように第一筐体９１に開口部９７を設けることで、スピーカ１つで筐体を閉じた状態でも開いた状態でも、スピーカ９８から出力される音が聴き取りやすいように工夫した携帯電話が、例えば特開２００３−６０７５７号公報に示されている。
【０００５】
ところで、近年の折り畳み式携帯端末装置では、ゲームやテレビ、カメラ等の機能搭載に伴い、表示部を表にして折り畳めるようにした２軸機構を有するヒンジ部を備えた折り畳み回動式携帯端末装置が実用化されている。この場合、従来の折り畳み式携帯電話のように、スピーカ音孔を第一筐体の表示部の反対側の面に備えると、表示部を表にして折り畳む場合、スピーカ音孔が内側にくるので、音が聴こえにくくなってしまうという問題があった。
【０００６】
また、上記特開２００３−６０７５７号公報に示された開口部を用いれば、これらの課題を解決し得るが、第一筐体に開口部を設ける必要があるため、これに伴って、第一筐体内部の表示部や基板面積を小さくしなければならず、上筐体の各部位やデザインに対して制約が大きくなってしまう。
【０００７】
本発明は、上記課題を解決するもので、スピーカ音孔が内側にある場合においても、スピーカの出力音が伝わる空間を確保することにより、スピーカの出力音が聴こえやすくするとともに、他の各部位への制約が少ない折り畳み式携帯端末装置を提供する。
【発明の開示】
【０００８】
前記従来の課題を解決するために、本発明の折り畳み式携帯端末装置は、少なくともスピーカとスピーカ音孔を有する第一筐体と、第二筐体と、第一筐体と第二筐体を回動自在に連結するヒンジ部とを備え、第一筐体と第二筐体を重ね合わせる重合状態において、第一筐体のスピーカ音孔を設けた表面が第二筐体に対して傾斜するよう配設し、第一筐体のスピーカ音孔と第二筐体の間に間隙を形成するよう構成している。
【０００９】
この構成により、開閉自在あるいは回転自在な一軸機構を有する折り畳み式携帯端末装置において、スピーカ音孔が内側となる折り畳み状態においても、スピーカの出力音が外へ伝わる空間を確保し、スピーカの出力音が聴こえ易くなるようにしている。
【００１０】
また、本発明の折り畳み式携帯端末装置は、少なくともスピーカとスピーカ音孔を有する第一筐体と、第二筐体と、第一筐体と第二筐体とを少なくとも２つの直交する方向の回転軸を中心に回転可能に連結するヒンジ部とを備え、第一筐体に備えるスピーカ音孔を内側として、第一筐体と第二筐体を重合する状態において、第一筐体のスピーカ音孔を設けた表面を、第二筐体に対して傾斜するよう配設し、第一筐体のスピーカ音孔と第二筐体の間に間隙を形成するよう構成している。
【００１１】
この構成により、開閉および回転自在な二軸機構を有する折り畳み式携帯端末装置において、スピーカ音孔が内側となる状態においてもスピーカの出力音が外へ伝わる空間を確保し、スピーカの出力音が聴こえ易くなるようにしている。
【００１２】
また、本発明の折り畳み式携帯端末装置は、また、少なくともスピーカとスピーカ音孔を有する第一筐体と、第二筐体と、第一筐体と第二筐体とを少なくとも２つの直交する方向の回転軸を中心に回転可能に連結するヒンジ部とを備え、第一筐体とヒンジ部の連結において、第一筐体の長手方向の側面からみた断面における厚さ方向の中心線と、ヒンジ部の回転軸の中心をずらした位置で連結することにより、第一筐体に備えるスピーカ音孔を内側として、第一筐体と第二筐体を重合する状態において、第一筐体のスピーカ音孔と第二筐体の間に間隙を形成するよう構成している。
【００１３】
この構成により、開閉および回転自在な二軸機構を有する折り畳み式携帯端末装置において、ヒンジの偏芯による第一筐体と第二筐体間に間隙を形成している。
【００１４】
更に、本発明の折り畳み式携帯端末装置は、また、少なくともスピーカとスピーカ音孔を有する第一筐体と、第二筐体と、第一筐体と第二筐体を水平方向に回転自在に連結するヒンジ部とを備え、第一筐体と第二筐体を重ね合わせる重合状態において、第一筐体のスピーカ音孔およびスピーカ音孔周辺に凹部を備え、凹部は第一筐体を長手方向の側面から見た場合に開口するよう形成している。
【００１５】
この構成により、水平方向に回転自在な一軸機構を有する折り畳み式携帯端末装置において、スピーカ音孔が内側となる折り畳み状態においても、凹部により、スピーカの出力音が外へ伝わる空間を確保し、スピーカの出力音が聴こえ易くなるようにしている。
【００１６】
また、本発明の折り畳み式携帯端末装置は、少なくともスピーカとスピーカ音孔を有する第一筐体と、第二筐体と、第一筐体と第二筐体とを少なくとも２つの直交する方向の回転軸を中心に回転可能に連結するヒンジ部とを備え、第一筐体のスピーカ音孔およびスピーカ音孔周辺に凹部を備え、凹部は第一筐体を長手方向の側面から見た場合に開口するよう形成している。
【００１７】
この構成により、開閉および回転自在な二軸機構を有する折り畳み式携帯端末装置において、スピーカー音孔が内側となる折り畳み状態においても、凹部により、スピーカの出力音が外へ伝わる空間を確保し、スピーカーの出力音が聴こえ易くなるようにしている。
【００１８】
また、本発明の折り畳み式携帯端末装置は、開閉および回転自在な二軸機構を有する折り畳み式携帯端末装置において、第二筐体の第一筐体と対向する面に突起と、第一筐体のスピーカ音孔を有する面の突起に当接する位置に凹部とを備えている。
【００１９】
この構成により、第一筐体のスピーカ音孔を有する面を内側に折り畳む状態では、突起により、間隙がより大きく構成され、スピーカ音孔が外側となる状態では、突起に対向する面の凹部により、間隙がより小さく、コンパクトに折り畳めるようにしている。
【００２０】
本発明によれば、折り畳み式携帯端末装置において、スピーカ音孔が内側となる状態であっても、スピーカからの出力音を伝える空間を確保することにより、スピーカからの出力音が聴こえ易くなる。
【００２１】
特に、２つの直交する方向の回転軸を有する２軸式ヒンジを備えた折り畳み式携帯端末装置においては、第一筐体を回転しないで閉じる通常の折り畳み状態と、第一筐体を開いてから１８０度回転させて折り畳む状態が存在するが、本発明によれば、スピーカ音孔を有する面が外側となる折り畳み状態よりも、スピーカが内側となる折り畳み状態の場合において、筐体間の間隙が大きくなるよう構成することにより、いずれの状態においてもスピーカの出力音を明瞭に聴くことができる。したがって、この構成によれば、第一筐体の表示部を内側にした折り畳み状態において、筐体本体の厚みを抑えることができるので、コンパクトな状態で携帯することができる。
【００２２】
また、スピーカ音孔が内側にある場合においても、スピーカからの出力音が伝わる空間を確保することができるので、筐体の状態によらずスピーカの出力音が聴こえ易くなるとともに、スピーカおよびスピーカ音孔の増設が不要となり、デザインの自由度を確保した折り畳み式携帯端末装置を提供することができる。
【発明を実施するための最良の形態】
【００２３】
以下、本発明を実施するための最良の形態について、図面を用いて説明する。なお、以下に示す各図において、実際には、折り畳み式携帯端末装置の筐体表面や筐体内部の所定位置に受話部、送話用マイクロフォンやアンテナ、制御部、無線部等が備えられているが、説明を簡単にするため、それらの図示および説明は省略する。
【００２４】
（実施の形態１）
本発明の実施の形態１にかかる発明について説明する。図１Ａと図１Ｂに、本発明の実施の形態１における折り畳み回動式携帯端末装置の筐体構造を分解斜視図として示す。
【００２５】
図１Ａと図１Ｂにおいて、第一筐体１と第二筐体２は、連結部３によって開閉および回動可能に連結されている。ヒンジ部１１は、第一筐体１と第二筐体２を連結する連結部３と、開閉動作を行う第一回転軸４と、開閉方向と直行方向に回転動作を行う第二回転軸５の２軸で構成され、第一筐体１は開閉および回転動作が可能である。図１Ａは第一回転軸４の開閉動作により、第一筐体１と第二筐体２を互いに開放した開き状態を示し、図１Ｂは第一回転軸４の開閉動作により開き、さらに第二回転軸５について第一筐体１を１８０度回転動作させた状態を示している。図１Ａに示すように、第一筐体１には、通話時に相手の声を聴くための受話部音孔６を設け、受話部音孔６を有する面に表示部７を構成している。また、第一筐体１には、受話部音孔６を有する面と反対の面に、受話部のスピーカとは別に、着信音や警報音を出力するためのスピーカ８を設け、スピーカ音孔９を構成している。第二筐体２には、第一筐体１と対向する面に操作部１０を構成している。
【００２６】
図２Ａと図２Ｂと図２Ｃに、本発明の実施の形態１における折り畳み回動式携帯端末装置の外観図を示す。図２Ａは第一筐体１のスピーカ音孔９を外側にして閉じた状態、図２Ｂは第一筐体１を開閉方向に開いた状態、図２Ｃは開いた状態から第二回転軸５について第一筐体１を１８０度回転させてスピーカ音孔９を内側に第一筐体１と第二筐体２を重ねて折り畳んだ状態を示している。
【００２７】
図３Ａと図３Ｂに、本発明の実施の形態１における折り畳み回動式携帯端末装置の断面図を示す。図３Ａは、第一筐体１のスピーカ音孔９を外側にして閉じた状態である図２Ａの３Ａ−３Ａ断面図を、図３Ｂは、開いた状態から第一筐体１を第二回転軸５の回転方向に１８０度回転させて、表示部７を外側に露出して第一筐体１と第二筐体２を重ねて折り畳んだ状態である図２Ｃの３Ｂ−３Ｂ断面図をそれぞれ示している。
【００２８】
図３Ａに示すように、第二回転軸５は、第一筐体１の厚さ方向の中点から距離ｅだけ偏った位置で連結されており、第一筐体の厚さ方向の中心線よりもスピーカ音孔９を有する面に近い位置で連結している。この構成によると、図３Ａと図３Ｂに示すように、スピーカ音孔９を外側として閉じた状態における筐体間の間隙３１よりも、スピーカ音孔を内側として閉じた状態における筐体間の間隙３２のほうが大きくなる。したがって、表示部７が内側となる通常の閉じた状態では、第二筐体との間隙３１は微小となり、本体筐体の厚さを抑えられる。このとき、スピーカ音出力に関しては、スピーカ音孔９が外側に位置するので問題はない。一方、表示部７を外側として折り畳んだ状態においては、スピーカ音孔９が外側になる場合と比較して、第二筐体２との間隙３２が大きくなるので、スピーカからの出力音は間隙を介して、明瞭な音声を外へ伝えることができる。
【００２９】
また、図３Ｂで第一筐体１と第二筐体２は平行になっている姿を示しているが、第一筐体１の先端を第二筐体２の平面に当てるよう構成した場合においても、第一筐体１のスピーカ音孔９を設けた表面が第二筐体２に対して傾斜するだけで、ヒンジ部１１近くのスピーカ音孔９と第二筐体２の間には間隙が形成されるので、スピーカ８からの出力音は、間隙を介して明瞭な音声で外へ伝えることができる。
【００３０】
また、この構成によれば、折り畳み式携帯端末装置にテレビ受信手段を搭載してテレビ機能を使用する場合や、折り畳み式携帯端末装置にカメラを搭載してカメラ撮影や動画撮影の閲覧をする場合や、折り畳み式携帯端末装置にナビゲーションを搭載してナビゲーション機能を使用する場合など、主に表示部７を外側にして折り畳んだ状態で使用する場合でも、良好な音圧で聴くことができる。
【００３１】
なお、本実施の形態では、第一筐体の厚さ方向の中心から偏った位置で連結させることで、間隙３１よりも間隙３２が大きくなるよう構成しているが、これに限定するものではなく、連結部３と第二回転軸５を中心から偏った位置で連結する構成により、実現させてもよい。
【００３２】
（実施の形態２）
本発明の実施の形態２にかかる発明について説明する。図４Ａと図４Ｂに、本発明の実施の形態２における折り畳み回動式携帯端末装置の外観図を示す。また、図５に、本発明の実施の形態２における折り畳み回動式携帯端末装置の断面図を示す。図４Ａ、図４Ｂと図５において、図１と同じ構成要素については同じ符号を用い、説明を省略する。
【００３３】
図４Ａは第一筐体１の表示部７を内側にして閉じた状態、図４Ｂは開いた状態から第一筐体１を回転方向に１８０度回転させて、表示部７を外側に露出して第一筐体１と第二筐体２を重ねて折り畳んだ状態を示している。図５は、第一筐体を開いた状態から第一筐体１を回転方向に１８０度回転させて表示部７を外側に露出して第一筐体１と第二筐体２を重ねて折り畳んだ状態である図４Ｂの５−５断面図を示している。
【００３４】
図４Ａにおいて、第一筐体１はスピーカ音孔９を備え、スピーカー音孔９の位置に対し、その幅方向に凹部４１を構成している。この構成により、図４Ｂと図５に示すスピーカ音孔９を有する面が内側となる折り畳み状態において、凹部４１により間隙ができるので、間隙を介して、スピーカからの出力音を明瞭に外へ伝えることができる。
【００３５】
なお、本実施の形態では、第一筐体の連結部３の近傍にスピーカ音孔９および凹部４１を幅方向に設けたが、これに限定するものではなく、第一筐体の連結部と反対側等にスピーカ音孔および凹部を設けてもよい。また、スピーカ音孔および凹部の形や大きさについても、スピーカ音孔からの出力音が、間隙を介して外へ伝えることができるような構成であればよい。
【００３６】
（実施の形態３）
図６Ａと図６Ｂに、本発明の実施の形態３における折り畳み回動式携帯端末装置の外観図を示す。また、図７Ａと図７Ｂに、本発明の実施の形態３における折り畳み回動式携帯端末装置の断面図を示す。図６Ａ、図６Ｂ、図７Ａ、図７Ｂにおいて、図１と同じ構成要素については同じ符号を用い、説明を省略する。
【００３７】
図６Ａは第一筐体１の表示部７を内側にして閉じた状態、図６Ｂは開いた状態から第一筐体１を回転方向に１８０度回転させて、表示部７を外側に露出して第一筐体１と第二筐体２を重ねて折り畳んだ状態を示している。図７Ａは、第一筐体１の表示部７を内側にして閉じた状態である図６Ａの７Ａ−７Ａ断面図を、図７Ｂは、第一筐体を開いた状態から第一筐体１を回転方向に１８０度回転させて表示部７を外側に露出して第一筐体１と第二筐体２を重ねて折り畳んだ状態である図６Ｂの７Ｂ−７Ｂ断面図を示している。
【００３８】
図６Ａと図６Ｂに示すように、第一筐体１のスピーカ音孔９を有する面に傾斜を設け、スピーカ音孔９を有する部分の第一筐体１の厚さが他の部分と比較して、薄くなるよう構成している。図７Ｂに示すように、スピーカ音孔９が内側となるよう折り畳んだ状態では、傾斜により、第一筐体１と第二筐体２との間に間隙ができる。
【００３９】
この構成により、スピーカ音孔９を有する面が内側となる折り畳み状態においては、間隙を介して、スピーカからの出力音を明瞭に外へ伝えることができる。また、スピーカ音孔９を有する面が外側となる状態においては、筐体間の間隙を小さくする、あるいは、間隙なく折り畳むよう構成し、筐体の厚さを抑えることができる。
【００４０】
（実施の形態４）
本発明の実施の形態４にかかる発明について説明する。図８Ａと図８Ｂに、本発明の実施の形態４における折り畳み回動式携帯端末装置の外観図を示す。また、図９Ａと図９Ｂに、本発明の実施の形態４における折り畳み回動式携帯端末装置の断面図を示す。図８Ａと図８Ｂ、図９Ａと図９Ｂにおいて、図１と同じ構成要素については同じ符号を用い、説明を省略する。
【００４１】
図８Ａは第一筐体１の表示部７を内側にして閉じた状態、図８Ｂは開いた状態から第一筐体１を回転方向に１８０度回転させて、表示部７を外側に露出して第一筐体１と第二筐体２を重ねて折り畳んだ状態を示している。図９Ａは、第一筐体１の表示部７を内側にして閉じた状態である図８Ａの９Ａ−９Ａ断面図を、図９Ｂは、第一筐体を開いた状態から第一筐体１を回転方向に１８０度回転させて表示部７を外側に露出して第一筐体１と第二筐体２を重ねて折り畳んだ状態である図８Ｂの９Ｂ−９Ｂ断面図を示している。
【００４２】
図８Ａと図８Ｂに示すように、第二筐体２の操作部を有する面に突起６１を設け、第一筐体１のスピーカ音孔９を有する面の反対面に突起６１が当接する部分に凹部６２を設けている。図９Ａに示すように、スピーカ音孔９を有する面が外側となるよう折り畳む状態では、突起６１と凹部６２が当接するので、第一筐体１と第二筐体２との間隙を小さくできる。一方、図９Ｂに示すように、スピーカ音孔９が内側となる折り畳み状態では、突起６１により、第一筐体１と第二筐体２との間に間隙ができる。
【００４３】
この構成により、スピーカ音孔９を有する面が内側となる折り畳み状態においては、間隙を介して、スピーカからの出力音を明瞭に外へ伝えることができる。また、スピーカ音孔９を有する面が外側となる状態においては、突起６１と凹部６２の大きさにより、筐体間の間隙を小さくする、あるいは、間隙なく折り畳むことができるので、この折り畳み状態において、筐体の厚さを抑えることができる。
【００４４】
なお、突起６１と凹部６２を設ける位置は、本発明の実施の形態に限定するものではなく他の位置に設けてもよい。
【００４５】
（実施の形態５）
なお上記実施の形態１から実施の形態４については、開閉および回転自在な二軸機構を有するヒンジを備えた折り畳み回動式携帯端末装置について説明したが、本発明は、開閉動作のみ行う折り畳み式携帯端末装置において、スピーカ音孔を第二筐体と対向する面に設けて、間隙により、スピーカからの出力音を明瞭に外へ伝えるように構成してもよい。以下、本発明の実施の形態５にかかる発明について説明する。
【００４６】
図１０は本発明の実施の形態５における折り畳み式携帯端末装置の折り畳んだ状態を示す断面図である。第一筐体１は、第一回転軸４で第二筐体２に対して開閉可能に支持されている。図１０の折り畳み式携帯端末装置は、第一回転軸４について第一筐体１の開閉動作のみ行う。第一筐体１の第二筐体２に対向する面には、スピーカ８とスピーカ音孔９が設けてあり、第一筐体１の第二筐体２に対向する面は第二筐体２の面に対して傾斜しており、スピーカ８とスピーカ音孔９のある側は隙間が空くようにしている。第一筐体１が閉じた状態で、着信があり、スピーカ８が鳴動したとしても、スピーカ音孔９付近の第一筐体１と第二筐体２の隙間から音が出力されるので、スピーカからの出力音は明瞭に外へ伝えることができる。
【００４７】
（実施の形態６）
また本発明は、回転動作のみ行う回転スライドタイプの折り畳み式携帯端末装置において、スピーカ音孔を第一筐体の表示部と反対側の面に設けて、重合状態であっても、間隙により、スピーカからの出力音を明瞭に外へ伝えるよう構成してもよい。以下、本発明の実施の形態６にかかる発明について説明する。
【００４８】
図１１は本発明の実施の形態６における折り畳み式携帯端末装置の畳んだ状態を示す断面図である。第一筐体１は、第二筐体２に対して傾斜して立てた状態で支持された第一回転軸４について、水平方向に回転する。図１１の折り畳み式携帯端末装置は、いわゆる回転スライドタイプとして第一筐体を回転して通話に適した長さに伸ばして使用したり、第一筐体を回転して第二筐体に重ねて使用したりすることが出来る。図１１に示すように、第一筐体１の第二筐体２に対向する面には、凹部４１が設けてあり、凹部４１にスピーカ８とスピーカ音孔９が設けてある。凹部４１は、第一筐体１と第二筐体２が重なった状態でも隙間から音が出力されるので、スピーカからの出力音は明瞭に外へ伝えることができる。
【産業上の利用可能性】
【００４９】
本発明にかかる折り畳み式携帯端末装置は、スピーカ音孔が内側にある場合でも、音が明瞭に聴こえるよう構成しているので、スピーカおよびスピーカ音孔の増設が不要であり、通常の折り畳み状態において厚さを抑えるとともに、デザインの自由度を確保した折り畳み携帯端末装置等として有用である。
【図面の簡単な説明】
【００５０】
【図１Ａ】本発明の第１の実施の形態における折り畳み回動式携帯端末装置の分解斜視図
【図１Ｂ】本発明の第１の実施の形態における折り畳み回動式携帯端末装置の分解斜視図
【図２Ａ】本発明の第１の実施の形態における折り畳み回動式携帯端末装置の折り畳んだ状態を示す外観図
【図２Ｂ】本発明の第１の実施の形態における折り畳み回動式携帯端末装置の開いた状態を示す外観図
【図２Ｃ】本発明の第１の実施の形態における折り畳み回動式携帯端末装置の第一筐体のスピーカ音孔を内側にして第二筐体に重ねた状態を示す外観図
【図３Ａ】本発明の第１の実施の形態における折り畳み回動式携帯端末装置のスピーカ音孔を外側にして折り畳んだ状態を示す断面図
【図３Ｂ】本発明の第１の実施の形態における折り畳み回動式携帯端末装置のスピーカ音孔を内側にして折り畳んだ状態を示す断面図
【図４Ａ】本発明の第２の実施の形態における折り畳み回動式携帯端末装置のスピーカ音孔を外側にして折り畳んだ状態を示す外観図
【図４Ｂ】本発明の第２の実施の形態における折り畳み回動式携帯端末装置のスピーカ音孔を内側にして折り畳んだ状態を示す外観図
【図５】本発明の第２の実施の形態における折り畳み回動式携帯端末装置のスピーカ音孔を内側にして折り畳んだ状態を示す断面図
【図６Ａ】本発明の第３の実施の形態における折り畳み回動式携帯端末装置のスピーカ音孔を外側にして折り畳んだ状態を示す外観図
【図６Ｂ】本発明の第３の実施の形態における折り畳み回動式携帯端末装置のスピーカ音孔を内側にして折り畳んだ状態を示す外観図
【図７Ａ】本発明の第３の実施の形態における折り畳み回動式携帯端末装置のスピーカ音孔を外側にして折り畳んだ状態を示す断面図
【図７Ｂ】本発明の第３の実施の形態における折り畳み回動式携帯端末装置のスピーカ音孔を内側にして折り畳んだ状態を示す断面図
【図８Ａ】本発明の第４の実施の形態における折り畳み回動式携帯端末装置のスピーカ音孔を外側にして折り畳んだ状態を示す外観図
【図８Ｂ】本発明の第４の実施の形態における折り畳み回動式携帯端末装置のスピーカ音孔を内側にして折り畳んだ状態を示す外観図
【図９Ａ】本発明の第４の実施の形態における折り畳み回動式携帯端末装置のスピーカ音孔を外側にして折り畳んだ状態を示す断面図
【図９Ｂ】本発明の第４の実施の形態における折り畳み回動式携帯端末装置のスピーカ音孔を内側にして折り畳んだ状態を示す断面図
【図１０】本発明の第５の実施の形態における折り畳み式携帯端末装置の折り畳んだ状態を示す断面図
【図１１】本発明の第６の実施の形態における折り畳み式携帯端末装置の折り畳んだ状態を示す断面図
【図１２Ａ】従来の折り畳み式携帯端末装置における開いた状態を示す外観図
【図１２Ｂ】従来の折り畳み式携帯端末装置における閉じた状態を示す外観図
【図１３Ａ】従来の折り畳み式携帯端末装置における開いた状態を示す外観図
【図１３Ｂ】従来の折り畳み式携帯端末装置における閉じた状態を示す外観図
【符号の説明】
【００５１】
１    第一筐体
２    第二筐体
３    連結部
４    第一回転軸
５    第二回転軸
６    受話部音孔
７    表示部
８    スピーカ
９    スピーカ音孔
１０    操作部
１１    ヒンジ部
４１    凹部
６１    突起
６２    凹部
【図１Ａ】
0004389936.tif 000002
【図１Ｂ】
0004389936.tif 000003
【図２Ａ】
0004389936.tif 000004
【図２Ｂ】
0004389936.tif 000005
【図２Ｃ】
0004389936.tif 000006
【図３Ａ】
0004389936.tif 000007
【図３Ｂ】
0004389936.tif 000008
【図４Ａ】
0004389936.tif 000009
【図４Ｂ】
0004389936.tif 000010
【図５】
0004389936.tif 000011
【図６Ａ】
0004389936.tif 000012
【図６Ｂ】
0004389936.tif 000013
【図７Ａ】
0004389936.tif 000014
【図７Ｂ】
0004389936.tif 000015
【図８Ａ】
0004389936.tif 000016
【図８Ｂ】
0004389936.tif 000017
【図９Ａ】
0004389936.tif 000018
【図９Ｂ】
0004389936.tif 000019
【図１０】
0004389936.tif 000020
【図１１】
0004389936.tif 000021
【図１２Ａ】
0004389936.tif 000022
【図１２Ｂ】
0004389936.tif 000023
【図１３Ａ】
0004389936.tif 000024
【図１３Ｂ】
0004389936.tif 000025